(57)【要約】【課題】本発明は、液を吐出させる際にノズルの位置が上下に移動せず、また手の小さい人にも簡便に扱うことができ、且つ握る手が汚れ難いポンプディスペンサを提供すること。【解決手段】シリンダ部３と、該シリンダ部３内に摺動自在なピストン部１と、前記シリンダ部３内に装着されたバルブケース部９と、該バブルケー部９から液を外部に吐出するためのノズル部２と、該シリンダ部３の外に装着されたハウジング部４と、ハウジング部４にヒンジ結合されピストン部１を上下移動させるトリガー部５と、該トリガー部５と同じ側でハウジング部４に形成された取っ手部６と、該シリンダ部３を容器８に取り付けるためのキャップ７と、を備え、該取っ手部６とトリガー部５とを把持して、トリガー部５を取っ手部６側に引き下げることにより、シリンダ部３内に圧を加えノズル部２を通して外部に液を吐出させるポンプディスペンサＡ。【選択図】図３（ａ）
2009090201.tif 000002
【特許請求の範囲】
【請求項１】
シリンダ部と、
該シリンダ部内に摺動自在なピストン部と、
前記シリンダ部内に装着されたバルブケース部と、
該バブルケースから液を外部に吐出するためのノズル部と、
該シリンダ部の外に装着されたハウジング部と、
ハウジング部にヒンジ結合されピストン部を上下移動させるトリガー部と、
該トリガー部と同じ側でハウジング部に形成された取っ手部と、
該シリンダ部を容器本体に取り付けるためのキャップと、を備え、
該取っ手部とトリガー部とを把持して、トリガー部を取っ手部側に引き下げることにより、シリンダ部内に圧を加えノズル部を通して外部に液を吐出させることを特徴とするポンプディスペンサ。
【請求項２】
トリガー部が前記ハウジング部と一体にヒンジ結合されていることを特徴とする請求項１記載のポンプディスペンサ。
【請求項３】
バルブケース部が内側筒部と外側筒部とよりなり、ノズル部が内側筒部から直接外部に突出していることを特徴とする請求項１記載のポンプディスペンサ。
【請求項４】
トリガー部を上方に付勢するためのスプリングがハウジング部とトリガー部との間に設けられていることを特徴とする請求項１記載のポンプディスペンサ。
【請求項５】
トリガー部は下方に引き下げられた際に、ハウジング部の頂部に形成された溝部に収納された状態になることを特徴とする請求項１記載のポンプディスペンサ。
【請求項６】
取っ手部がトリガー部の真下に位置するように設けられていることを特徴とする請求項１記載のポンプディスペンサ。
【請求項７】
トリガー部は、取っ手部に当接することにより、引き下げが停止されることを特徴とする請求項６記載のポンプディスペンサ。
【請求項８】
シリンダ部の壁面には上部抜け孔と下部抜け穴とが形成されていることにより、外気がハウジング部とシリンダ部との間、及びシリンダ部とバルブケースとの間を通過し容器内へ入り込み、容器内の負圧が解消されるものであることを特徴とする請求項１記載のポンプディスペンサ。
【発明の詳細な説明】
【技術分野】
【０００１】
本発明は容器内に収容された液を吐出させるためのポンプディスペンサに関する。
【背景技術】
【０００２】
今日、容器に収容された液を勢いよく吐出させる器具としてポンプディスペンサが知られている。
ポンプディスペンサはピストン及びシリンダを備えており、ピストンを手動で駆動させることで液に圧が加わり吐出される。
そして、ポンプディスペンサはピストンの駆動のさせ方により数種類に大別され、その一つがトリガー式ポンプディスペンサである（特許文献１参照）。
【０００３】
トリガー式ポンプディスペンサの前面にはトリガーが設けられており、これを手で握り込んで手前に移動させると、そのことに連動してピストンが移動し、シリンダ内の液圧が高まる。
その結果、ノズルから液が勢いよく吐出される。
【特許文献１】特開２００７−６９１１６号公報
【発明の開示】
【発明が解決しようとする課題】
【０００４】
ところで、トリガー式ポンプディスペンサのノズルと、ピストンとは結合して一体化しているため、トリガーを握りこんだ際にピストンの移動と共にノズルも下方に移動してしまう。
そのためトリガー式ポンプディスペンサには、目標とする場所に液を正確に吐出させられないという問題があった。
【０００５】
また、トリガー式ポンプディスペンサのトリガーを引き込む場合、トリガー式ポンプディスペンサの周囲全体を握って行わなければならない。
そのため手の小さい子供等が扱う場合は、トリガーを握る状態が浅くなり、力を入れ難くなる。
４本（或いは人によっては３本）の指を使い手全体の握力を使うため、ポンプディスペンサ本体の周囲に液剤等が付着している場合は、それが手に付いて汚れる。
【０００６】
本発明は上記事情を鑑みてなされたものである。
すなわち、液を吐出させる際にノズルの位置が上下に移動せず、また手の小さい人にも簡便に扱うことができ、且つ握る手が汚れ難いポンプディスペンサを提供することを目的とする。
【課題を解決するための手段】
【０００７】
本発明者らは、上記課題を解決するため鋭意検討したところ、位置が固定されたシリンダ部にノズル部を設け、且つ取っ手をハウジング部に設けることにより上記課題を解決し得ることを見出し、本発明を完成するに至った。
【０００８】
すなわち本発明は、シリンダ部と、該シリンダ部内に摺動自在なピストン部と、前記シリンダ部内に装着されたバルブケース部と、該バブルケースから液を外部に吐出するためのノズル部と、該シリンダ部の外に装着されたハウジング部と、ハウジング部にヒンジ結合されピストン部を上下移動させるトリガー部と、該トリガー部と同じ側でハウジング部に形成された取っ手部と、該シリンダ部を容器本体に取り付けるためのキャップと、を備え、該取っ手部とトリガー部とを把持して、トリガー部を取っ手部側に引き下げることにより、シリンダ部内に圧を加えノズル部を通して外部に液を吐出させるポンプディスペンサに存する。
【０００９】
また本発明は、トリガー部が前記ハウジング部と一体にヒンジ結合されているポンプディスペンサに存する。
【００１０】
また本発明は、バルブケース部が内側筒部と外側筒部とよりなり、ノズル部が内側筒部から直接外部に突出しているポンプディスペンサに存する。
【００１１】
また本発明は、トリガー部を上方に付勢するためのスプリングがハウジング部とトリガー部との間に設けられているポンプディスペンサに存する。
【００１２】
また本発明は、トリガー部は下方に引き下げられた際に、ハウジング部の頂部に形成された溝部に収納された状態になるポンプディスペンサに存する。
【００１３】
また本発明は、取っ手部がトリガー部の真下に位置するように設けられているポンプディスペンサに存する。
【００１４】
また本発明は、トリガー部が、取っ手部に当接することにより、引き下げが停止されるポンプディスペンサに存する。
【００１５】
また本発明は、シリンダ部の壁面には上部抜け孔と下部抜け穴とが形成されていることにより、外気がハウジング部とシリンダ部との間、及びシリンダ部とバルブケースとの間を通過し容器内へ入り込み、容器内の負圧が解消されるものであるポンプディスペンサに存する。
【００１６】
なお、本発明の目的に添ったものであれば上記発明を適宜組み合わせた構成も採用可能である。
【発明の効果】
【００１７】
本発明のポンプディスペンサのノズル部は、バブルケースから液を外部に吐出するため、ピストンを上下移動させてもノズル部の位置は変化しない。
その結果、本発明のポンプディスペンサは、容器に収容された液を高い精度で目標とする場所に向かって吐出させることができる。
【００１８】
取っ手部はトリガー部と同じ側でハウジング部に形成されているので、トリガーを引き込む場合、取っ手部に４本（或いは人によっては３本）の指を引っ掛けた状態で親指をトリガー部の上から添えて下方に単に押し下げるだけでよく、トリガー式ポンプディスペンサ全体を握る必要はない。
そのため、手の小さい子供等も簡単に扱うことができる。
またポンプディスペンサ自体に液剤が付着している場合にも、手がポンプディスペンサ本体より離れているため汚れない。
【００１９】
取っ手部がトリガー部の真下に位置するように設けられることにより、トリガー部に親指を極力添え易くなる。  
トリガー部は下方に引き下げられた際に、ハウジング部の頂部に形成された溝部に収納された状態になることにより、トリガー部は溝部の側壁に沿って上下移動でき横方向にぶれることがなく、安定した動きができる。
【発明を実施するための最良の形態】
【００２０】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２１】
図１は、本実施形態の容器に取り付けられたポンプディスペンサの外観図である。
図１に示すように、本実施形態のポンプディスペンサＡは、取っ手部６を握り、親指をトリガー部５に添えた状態で使用される。
そして、単に親指でトリガー部５を押し下げれば、シリンダ内に収容された液が圧を受けて、ノズル部２から吐出される。
【００２２】
このように、本実施形態のポンプディスペンサＡにおいては、ポンプディスペンサの周囲全体を握る必要はなく、手が比較的小さい人であってもトリガー部に容易に親指を添えて引く込むことができる。
操作は極めて簡単である。
このポンプディスペンサＡは汎用性が高く、例えば、化粧品、シャンプー、ボディソープ、食器用洗剤等の収納容器に用いることが可能である。
なお、図２は、本実施形態のポンプディスペンサの要部の拡大図であり、図２（ａ）は正面図、図２（ｂ）は左側面図、図２（ｃ）は右側面図、図２（ｄ）は平面図である。
【００２３】
図３（ａ）は、本実施形態のポンプディスペンサの断面図であり、図３（ａ）はトリガー部が押し下げられる前の状態を示し、図３（ｂ）はトリガー部が押し下げられた後の状態を示す。
図３（ａ）、図３（ｂ）に示すように、ポンプディスペンサＡは、ピストン部１と、ノズル部２と、シリンダ部３と、ハウジング部４と、トリガー部５と、取っ手部６と、キャップ７と、を備える。
【００２４】
キャップ７は、ポンプディスペンサＡを容器に取り付けるためのものであり、容器に螺合により固定される。
キャップ７の上端部には掛止部が形成されており、その掛止部がハウジング部４の下端部に形成される掛止部に掛合されることで、両部材は連結される。
すなわちキャップ７にハウジング部４を押し入れることで両掛止部が掛合され取り付けられる。
【００２５】
ハウジング部４は中空筒状になっており、後述するシリンダ部３の外側に装着されている。
ハウジング部４には、ポンプディスペンサＡを持ち易くするための取っ手部６が形成されている。
取っ手部６はＵ字状をしており、その形成場所はトリガー部５と同じ側、すなわちハウジング部４の後側でトリガー部５の真下の位置である。
そのため、取っ手部６を握った際に親指を立ててトリガー部５に置くことが可能となり、トリガー部５を容易に操作できる。
【００２６】
またトリガー部５を引き下げた場合、取っ手部６に当接することにより停止される。
なおトリガー部５は、ハウジング部４に形成された図示しない止め部に当接することにより上方への回動が停止される。
【００２７】
シリンダ部３内には、ピストン部１が摺動自在となっている。
バルブケース部９は、外側筒部９１と内側筒部９２とよりなり、外側筒部９１がシリンダ部３に内接して取り付けられている。
内側筒部９２の一部がシリンダ部３内に、内側筒部９２の他の一部が、キャップ７や容器８内にまで入る状態で取り付けられている。
尚、内側筒部９２は、容器８の底部近くまで垂下している。
【００２８】
内側筒部９２の内側には、それより小径の弁座筒３１が形成されており、該弁座筒３１に第一逆止弁３２（いわゆるＦバルブ）が設けられており、この第一逆止弁３２の膨大部が弁座筒３１の先端（いわゆる弁座に相当）に当接或いは離反して通路が開閉される。
この第一逆止弁３２により、容器８内から減圧されたシリンダ部３内に液が吸い上げられ、また加圧されたシリンダ部３内から容器８内へ液が逆流するのが防止される。
【００２９】
バルブケース部９には、液を外部に吐出するためのノズル部２が設けられている。
詳しくは、内側筒部９２の側面に取付けボス９２Ａが形成されており、該取付けボス９２Ａに外方に突出するようにノズル部２が設けられている。
吸い上げられた液は、このノズル部２を介して外に吐出される。
ノズル部２の内側には、空気の逆流を防止するための第二逆止弁２１（いわゆるＳバルブ）が設けられている。
【００３０】
ピストン部１は、シリンダ部３内を摺動自在となっており、また、ピストン部１はその一部であるロッド部１１を介してトリガー部５と連結されている。
この連結はロッド部１１の上端に形成された軸１１Ａが、トリガー部５の受け部５１に挿入されることで連結される。
そのためトリガー部５が押し下げられると、ピストン部１も一体となって下方に移動する。
すなわち、トリガー部５の上下移動に連動してピストン部１も上下移動する。
【００３１】
トリガー部５の先端は、ハウジング部４とヒンジ結合され一体に形成されており、トリガー部５はそこを起点として上下方向に回動可能となっている。
前述のように、トリガー部５が下方に押し下げられると、そのことに伴ってピストン部１も下方に移動し、シリンダ部３内の液圧が高まる。
【００３２】
シリンダ部３内の液圧が高まると、第二逆止弁２１が開き、シリンダ部３とノズル部２とが連通する。
そのため、液がシリンダ部３からノズル部２へと流出し、ノズル部２の先から吐出される。  
液が吐出され、シリンダ部３内の液圧が低下すると第二逆止弁が閉じ、その結果、ノズル部２から空気がシリンダ部３へ入ることが防止される。
【００３３】
また、ピストン部１が上昇して元の位置に戻ることにより、シリンダ部３内の圧が低下し、容器８内の液が吸い上げられてシリンダ部３内に入ってくる。
なお、容器８内の液が減少するために容器８内が負圧となり容器凹み等が生じるが、ポンプディスペンサＡにはこれを解消するための負圧解消手段が備わっている。
すなわち、シリンダ壁面に上部抜け孔３３と下部抜け穴３４が形成されており、容器８内が負圧化すると、外気が、上部抜け孔３３→ハウジング部４とシリンダ部３との間→下部抜け穴３４→シリンダ部３とバルブケース９との間→キャップ７内→容器８内と順に流れ込み、容器８内の負圧は解消される。
このような負圧解消手段により、負圧が解消されるだけでなく、容器８が傾いたり、転倒したりしても容器８内の液が漏れ出すようなことがない。
【００３４】
本実施形態のノズル部２は、従来のポンプディスペンサとは異なり、トリガー部５の運動に全く影響されない部材である、バルブケース部９の内側筒部９２に設けられているため、トリガー部５が上下移動してもノズル部２の位置は変化しない。
そのためノズル部２の方向を定めることができる。
【００３５】
トリガー部５の上方への復帰は、ハウジング部４とトリガー部５との間に設けられているスプリングＳにより行われる。
スプリングＳは、ハウジング部４に圧入固定される図示しないリング状の基部とそれより湾曲して立ち上がった板状の部分とよりなる。なお板状の部分の先端はトリガー部５の裏側に形成された突起５２によって支持されている。
この板状の部分は、二股になっており、ピストン部１のロッド部１１を逃がすように設けられているためロッド部１１の上下移動の支障とならない。
このスプリングＳによって、トリガー部５には常に上向きの付勢力が加わり、トリガー部５に親指を掛けて押し下げても、親指を外せばトリガー部５は元の位置に自然に戻る。
なお、トリガー部５は押し下げられた際、ハウジング部４の頂部に形成された溝部４１に収納された状態になる（図２（ｄ）参照）。
そのためトリガー部５は溝部４１の側壁に沿って上下移動するため、横方向にぶれることがなく、安定した動きができる。
【００３６】
上述したように、本発明においては、液を吐出するためトリガーを引き込む場合、トリガー式ポンプディスペンサ全体を握る必要はない。
図１に示したように、取っ手部に４本（或いは人によっては３本）の指を引っ掛けた状態で親指をトリガー部の上からに添えて、これを単に下方に押し下げるだけでよい。
そのため手の小さい子供等も簡単に扱うことができる。
更にポンプディスペンサ自体に液剤が付着している場合にも、手がポンプディスペンサ本体より離れているため汚れない。
【００３７】
以上、本発明をその一実施形態を例に説明したが、本発明は上述した実施形態のみに限定されるものではなく、種々の変形が可能である。
例えば、ノズル部の先端に公知のオリフィスやスピンナーを取り付けることで、液を泡状や霧状にして吐出させることができるようになる。
またトリガー部５は必ずしもハウジング部４と一体ではなくてもよい。
【図面の簡単な説明】
【００３８】
【図１】図１は、本実施形態のポンプディスペンサの外観図である。
【図２（ａ）】図２は、本実施形態のポンプディスペンサの要部拡大図であり、図２（ａ）は、正面図である。
【図２（ｂ）】図２は、本実施形態のポンプディスペンサの要部拡大図であり、図２（ｂ）は、左側面図である。
【図２（ｃ）】図２は、本実施形態のポンプディスペンサの要部拡大図であり、図２（ｃ）は、右側面図である。
【図２（ｄ）】図２は、本実施形態のポンプディスペンサの要部拡大図であり、図２（ｄ）は、平面図である。
【図３（ａ）】図３は、本実施形態のポンプディスペンサの断面図であり、図３（ａ）は、トリガー部が押し下げられる前の状態を示す。
【図３（ｂ）】図３は、本実施形態のポンプディスペンサの断面図であり、図３（ｂ）は、トリガー部が押し下げられた後の状態を示す。
【符号の説明】
【００３９】
１・・・ピストン部
１１・・・ロッド部
１１Ａ・・・軸
２・・・ノズル部
２１・・・第二逆止弁
３・・・シリンダ部
３１・・・弁座筒
３２・・・第一逆止弁
３３・・・上部抜け孔
３４・・・下部抜け穴
４・・・ハウジング部
４１・・・溝部
５・・・トリガー部
５１・・・受け部
５２・・・突起
６・・・取っ手部
７・・・キャップ
８・・・容器
９・・・バルブケース部
９１・・・外側筒部
９２・・・内側筒部
Ａ・・・ポンプディスペンサ
Ｓ・・・スプリング
【図１】
2009090201.tif 000003
【図２（ａ）】
2009090201.tif 000004
【図２（ｂ）】
2009090201.tif 000005
【図２（ｃ）】
2009090201.tif 000006
【図２（ｄ）】
2009090201.tif 000007
【図３（ａ）】
2009090201.tif 000008
【図３（ｂ）】
2009090201.tif 000009